(57)【要約】【課題】専用のサーバや回線等を必要とせず、通常の端末のみで簡易に移動無線端末の位置情報を取得できる通信システムを提供することを目的とする。【解決手段】移動無線端末の位置情報を通知する通信システムであって：　ディジタル回線に接続され、移動無線端末の位置情報を要求する位置情報要求信号を格納した呼設定信号を送信し、呼制御信号内のユーザユーザ情報信号を受信する通信端末；および　ディジタル回線に接続され、移動無線端末との間で無線通信可能である基地局であって、呼設定信号内の位置情報要求信号と、移動無線端末からの呼制御信号内のユーザユーザ情報信号とを検知でき、かつ移動無線端末の位置情報を格納できるメモリを備えた、基地局；　から構成される通信システム。【選択図】　　　　図１
2004135086.tif 000002
【特許請求の範囲】
【請求項１】
移動無線端末の位置情報を通知する通信システムであって：
ディジタル回線に接続され、移動無線端末の位置情報を要求する位置情報要求信号を格納した呼設定信号を送信し、呼制御信号内のユーザユーザ情報信号を受信する通信端末；および
前記ディジタル回線に接続され、移動無線端末との間で無線通信可能である基地局であって、前記呼設定信号内の位置情報要求信号と、前記移動無線端末からの呼制御信号内のユーザユーザ情報信号とを検知でき、かつ該移動無線端末の位置情報を格納できるメモリを備えた、基地局；
から構成される通信システム。
【請求項２】
請求項１に記載された通信システムであって：
前記基地局が、前記移動無線端末から受信した呼制御信号内のユーザユーザ情報信号に位置情報を入れて、前記通信端末に送信する；
ことを特徴とする通信システム。
【請求項３】
請求項２に記載された通信システムであって：
前記通信端末が、前記移動無線端末の位置情報要求の許可を得ることができ、自己を識別する情報を含めた呼設定信号を送信する；
ことを特徴とする通信システム。
【請求項４】
請求項３に記載された通信システムであり、さらに前記移動無線端末を含み：
該移動無線端末が、前記通信端末から受信した呼設定信号内の前記識別情報に基づき前記通信端末が位置情報許可設定してある通信端末であることを確認した後に、位置情報提供許可信号を含めた呼制御信号を前記基地局に送信する；
ことを特徴とする通信システム。
【請求項５】
請求項４に記載された通信システムであって：
前記通信端末が、受信した呼制御信号内の前記移動無線端末の位置情報を表示する；
ことを特徴とする通信システム。
【請求項６】
請求項５に記載された通信システムであって：
前記移動無線端末が、ＰＨＳ端末である；
ことを特徴とする通信システム。
【請求項７】
移動無線端末の位置情報を通知する通信システムにおける移動無線端末であって：
位置情報の要求を出す位置情報要求部；
位置情報要求を格納できる発サブアドレス格納部；
呼設定信号を発呼する発呼部であって、前記呼設定信号中に発サブアドレス領域を含む、発呼部；
呼出信号を検出する呼出信号検出部；並びに
呼出信号中に含まれるユーザユーザ情報を抽出して表示する表示部；
から構成される移動無線端末。
【請求項８】
移動無線端末の位置情報を通知する通信システムにおける移動無線端末であって：
呼設定信号を検出する呼設定信号検出部；
呼設定信号中の発サブアドレス領域から位置情報要求を検出する発サブアドレス検出部；
呼設定信号中の発アドレス領域から発アドレス情報を検出する発アドレス検出部；
前記発アドレス情報が位置情報通知を許可した番号であるか否かを判断する判断部；
呼出信号中のユーザユーザ情報領域に所在地要求を格納するユーザユーザ情報格納部；並びに
呼出信号を送信する送信部；
から構成される移動無線端末。
【請求項９】
移動無線端末の位置情報を通知する通信システムにおける基地局であって：
呼出信号を検出する呼出信号検出部；
呼出信号中のユーザユーザ情報領域に格納された所在地要求を検出するユーザユーザ情報検出部；
メモリから所在地情報を取り出して、前記ユーザユーザ情報領域に所在地情報を格納する所在地情報格納部；並びに
ユーザユーザ情報領域に所在地情報を格納した呼出信号を送信する呼出信号送信部；
から構成される基地局。
【発明の詳細な説明】
【０００１】
【発明の属する技術分野】
本発明は、一般に移動無線端末の位置情報を通知する通信システムに関し、特に呼設定信号と呼制御信号内のユーザユーザ情報信号を利用することにより、移動無線端末の位置情報を通知する通信システムに関する。
【０００２】
【従来の技術】
従来の移動無線端末の位置情報を通知する通信システムとして、例えば、特開２００１−１８６５５８号公報（特許文献１）に開示されたものがある。そこに開示されたシステムにおいては、移動端末が登録エリアから出た時にその旨が位置情報確認側のユーザ装置に通知されるものであるが、基地局に加えて、位置情報センタ装置を必要としている。
【０００３】
また、他の従来例として、特開２０００−１６９３２０号公報（特許文献２）に開示されたものがある。そこに開示されたシステムにおいては、位置情報通知装置が位置情報要求端末からの要求に応じて移動端末からいずれかの無線基地局およびネットワークを介して当該移動端末の位置に依存した情報となる位置情報を取得し、その位置情報から当該移動端末の位置の推定演算を行って、その推定演算にて得られた移動端末の位置を位置情報要求端末に提供する。このシステムでは、基地局に加えて、位置情報通知装置を必要としている。
【０００４】
【特許文献１】
特開２００１−１８６５５８号公報
【特許文献２】
特開２０００−１６９３２０号公報。
【０００５】
【発明が解決しようとする課題】
従来の技術では、専用の位置情報通知装置や回線を設置することにより、任意のＰＨＳ端末の位置情報を管理していた。また、ユーザが任意のＰＨＳ端末の位置情報を取得したい時に、位置情報管理装置やサーバにアクセスして位置情報を取得していた。
【０００６】
従って、従来の位置情報システムにおいては、専用の位置情報通知装置やサーバ、およびサーバアクセス用の回線が追加的に必要となるという問題点があった。需要の増大に伴い、これらの設備増設も必要となる。また、位置情報の取得のためには位置情報管理装置やサーバにアクセスしなければならず、位置情報取得方法に関しても、専用の地図ソフトやＦＡＸを使用しなければならないという問題点もあった。
【０００７】
そこで、本発明は、以上の点に鑑みてなされたもので、専用のサーバや回線等を必要とせず、通常の端末のみで簡易に移動無線端末の位置情報を取得できる通信システムを提供することを目的とする。
【課題を解決するための手段】
上記の目的を達成するための本発明の一特徴に従った、移動無線端末の位置情報を通知する通信システムは、　ディジタル回線に接続され、移動無線端末の位置情報を要求する位置情報要求信号を格納した呼設定信号を送信し、呼制御信号内のユーザユーザ情報信号を受信する通信端末；および　ディジタル回線に接続され、移動無線端末との間で無線通信可能である基地局であって、呼設定信号内の位置情報要求信号と、移動無線端末からの呼制御信号内のユーザユーザ情報信号とを検知でき、かつ移動無線端末の位置情報を格納できるメモリを備えた、基地局；　から構成される。
【０００８】
本発明の他の特徴に従えば、上記のシステムにおいて、　基地局が、移動無線端末から受信した呼制御信号内のユーザユーザ情報信号に位置情報を入れて、通信端末に送信する；　ことを特徴とする。
【０００９】
本発明の他の特徴に従えば、上記のシステムにおいて、　通信端末が、移動無線端末の位置情報要求の許可を得ることができ、自己を識別する情報を含めた呼設定信号を送信する；　ことを特徴とする。
【００１０】
本発明の他の特徴に従えば、上記のシステムにおいて、さらに移動無線端末を含み：　移動無線端末が、通信端末から受信した呼設定信号内の識別情報に基づき通信端末が位置情報許可設定してある通信端末であることを確認した後に、位置情報提供許可信号を含めた呼制御信号を基地局に送信する；　ことを特徴とする。
【００１１】
本発明の他の特徴に従えば、上記のシステムにおいて、　通信端末が、受信した呼制御信号内の移動無線端末の位置情報を表示する；　ことを特徴とする。
【００１２】
本発明の他の特徴に従えば、上記のシステムにおいて、　移動無線端末が、ＰＨＳ端末である；　ことを特徴とする。
【００１３】
本発明の他の特徴に従った、移動無線端末の位置情報を通知する通信システムにおける移動無線端末は、　位置情報の要求を出す位置情報要求部；　位置情報要求を格納できる発サブアドレス格納部；　呼設定信号を発呼する発呼部であって、呼設定信号中に発サブアドレス領域を含む、発呼部；　呼出信号を検出する呼出信号検出部；並びに　呼出信号中に含まれるユーザユーザ情報を抽出して表示する表示部；　から構成される。
【００１４】
本発明の他の特徴に従った、移動無線端末の位置情報を通知する通信システムにおける移動無線端末は、　呼設定信号を検出する呼設定信号検出部；　呼設定信号中の発サブアドレス領域から位置情報要求を検出する発サブアドレス検出部；　呼設定信号中の発アドレス領域から発アドレス情報を検出する発アドレス検出部；　発アドレス情報が位置情報通知を許可した番号であるか否かを判断する判断部；　呼出信号中のユーザユーザ情報領域に所在地要求を格納するユーザユーザ情報格納部；並びに　呼出信号を送信する送信部；　から構成される。
【００１５】
本発明の他の特徴に従った、移動無線端末の位置情報を通知する通信システムにおける基地局は、　呼出信号を検出する呼出信号検出部；　呼出信号中のユーザユーザ情報領域に格納された所在地要求を検出するユーザユーザ情報検出部；
メモリから所在地情報を取り出して、ユーザユーザ情報領域に所在地情報を格納する所在地情報格納部；並びに　ユーザユーザ情報領域に所在地情報を格納した呼出信号を送信する呼出信号送信部；　から構成される。
【作用】
本発明の一特徴に従った通信システムによれば、ユーザが位置情報を要求していることを呼設定信号の情報要素内（例えば、発サブアドレス、ユーザユーザ情報等）に明示して、要求先の例えばＰＨＳ端末に発呼する。呼設定信号を受信したＰＨＳ端末は、発サブアドレスに基づきその呼が位置情報要求であることを検知する。また、位置情報通知を許可した端末からの要求であるか否かを、発アドレスを照合することによって判断する。もし、許可端末からであるとすると、呼出信号内のユーザユーザ情報に所在地要求を格納して、基地局に送信する。基地局では、ユーザユーザ情報を所在地情報に換えて要求端末に送信する。もし、許可端末からでないとすると、切断信号を要求元のＰＨＳ端末へ送信する。
【００１６】
【発明の実施の形態】
以下、図面を参照しながら本発明の実施の形態について詳しく説明する。
【００１７】
実施例１
図１を参照しながら、本発明に係る実施例１について説明する。図１は本実施例の通信システム６００の概略的構成図である。本実施例の移動通信システム６００は、簡易型携帯電話システム（ＰＨＳ）を基本にしている。本発明はＰＨＳに適用するのが好適であるが、それに限定されるわけではなく、ＩＳＤＮ回線等のディジタル回線を利用する移動通信システムであれば、どのような移動通信システムにも適用可能である。図１に示すように、ＰＨＳ端末１００と無線通信を行う基地局４００、ＰＨＳ端末２００と無線通信を行う基地局３００および固定端末３０はディジタル回線またはディジタル網５００に接続される。
【００１８】
本実施例では、上記のような通信システムにおいて、例えばＰＨＳ端末２００がＰＨＳ端末１００の電話番号に対して位置情報通知許可設定している場合、すなわちＰＨＳ端末１００からＰＨＳ端末２００の所在位置についての問い合わせがあった場合にＰＨＳ端末１００に対してＰＨＳ端末２００の所在位置を通知することを許すケースを考える。
【００１９】
ＰＨＳ端末１００がＰＨＳ端末２００の位置情報を取得する代表的な手順について、図２を参照しながら、説明する。
【００２０】
ＰＨＳ端末１００が、所在位置情報を知りたいＰＨＳ端末２００宛に呼設定（ＳＥＴＵＰ）信号を送信する。呼設定信号内には、発サブアドレスが含まれる。発サブアドレスとは、ユーザが任意に利用することが可能な情報要素の一部である。例えば、ＰＨＳのメール書き込み呼、メール読み出し呼を接続先のサーバで区別するために、発サブアドレスの領域が使用される。この発サブアドレスの情報要素として、位置情報要求信号を格納して呼設定信号を送信する。また、送信する呼設定信号には、チャネル識別子の情報要素である情報チャネル選択をチャネルなしとして格納してある。
【００２１】
図８を参照して、ＰＨＳ端末１００の構成について説明する。ＰＨＳ端末１００は、メニュー部１０１により位置情報要求を選択して、ＰＨＳ端末２００へ発呼する。発サブアドレス格納部１１１及び情報チャネル格納部１１２がそれぞれ、「位置情報要求」及び「チャネルなし」のビット列を呼設定（ＳＥＴＵＰ）の発サブアドレス領域、情報チャネル領域に格納して、発呼を行う。
【００２２】
呼設定信号を受信した基地局４００は、その呼設定信号をディジタル網５００へ送信する。
【００２３】
基地局４００からの呼設定信号を受信したディジタル網５００は、呼の宛先であるＰＨＳ端末２００が位置登録をしている交換機配下の全ての基地局に呼設定信号を送信する。
【００２４】
呼設定信号を受信した全ての基地局は、無線区間に着呼信号を送信する。
【００２５】
ＰＨＳ端末２００は基地局３００の圏内に存在するため、ＰＨＳ端末２００は基地局３００からの着呼信号を受信すると、基地局３００に対して着呼応答信号を送信する。
【００２６】
着呼応答信号を受信した基地局３００は、呼設定受付信号をディジタル網５００へ送信するとともに、ＰＨＳ端末１００からの呼設定信号をＰＨＳ端末２００へ送信する。
【００２７】
呼設定信号を受信したＰＨＳ端末２００は、呼設定信号内に存在する発サブアドレス情報から、この呼が位置情報を要求するものであることを検知する。また、呼設定信号内に存在する発アドレス情報から、発呼したＰＨＳ端末１００の番号が位置情報要求許可設定してある番号であることを確認する。
【００２８】
位置情報要求許可設定してある番号であることを確認した後に、呼出信号をＰＨＳ端末１００宛に送信する。呼出信号中には、ユーザユーザ情報が含まれる。ユーザユーザ情報とは、例えばＩＳＤＮ回線のインターフェースに関する通信制御のためのメッセージに含まれる、利用者が独自に使用できる領域である。このユーザユーザ情報として自己の所在地を要求する所在地要求信号を格納して基地局３００へ送信する。
【００２９】
図９を参照してＰＨＳ端末２００の構成について説明する。ＰＨＳ端末２００の発サブアドレス検出部２２１が、呼設定信号の発サブアドレスから、位置情報要求の信号であることを検出すると、発アドレス検出部２２３が検出した発アドレス情報を判断部２２２へ送信して通知の可否判断を依頼する。判断部２２２は、発アドレスの番号と、メモリ上の通知許可ＰＳＮ格納部２５１に格納されている番号とを比較し、許可番号であればＵＵＩ格納部２２４で呼出信号（ＡＬＥＲＴ）のユーザユーザ情報（ＵＵＩ）の領域に所在地要求のビット列を格納して呼出信号を基地局３００に送信する。不許可であれば、後述するように、切断部２２５で切断信号の理由表示領域に＃２１（通信拒否）を格納して切断信号（ＤＩＳＣ）を基地局３００へ送信する。
【００３０】
ＰＨＳ端末２００からの呼出信号を受信した基地局３００は、呼出信号内に含まれるユーザユーザ情報から所在地要求信号を検知すると、そのユーザユーザ情報に格納されている所在地要求信号を、ＰＨＳ端末２００の位置情報としての自基地局所在地情報に替える。次に、基地局３００は、ＰＨＳ端末２００の位置情報を格納したユーザユーザ情報を含む呼出信号をＰＨＳ端末１００宛に送信する。この呼出信号は、ディジタル網５００、基地局４００を経由してＰＨＳ端末１００へと送信される。
【００３１】
図１０を参照して基地局３００の構成について説明する。呼出信号を受信した基地局３００は、呼出信号検出部３１１が呼出信号を受信したことを検出すると、ＵＵＩ検出部３１２はユーザユーザ情報から、基地局の所在地情報の格納要求を検出し、ＵＵＩ格納部３１３へ所在地情報の格納を依頼する。ＵＵＩ格納部３１３はメモリ上の所在地情報格納部３２１から所在地情報を抽出して、呼出信号のユーザユーザ情報の領域に所在地情報のビット列を格納し、ディジタル回線インターフェース３４０へ呼出信号を送信する。呼出信号は、ディジタル網５００，基地局４００を経由してＰＨＳ端末１００で着呼される。
【００３２】
呼出信号を受信したＰＨＳ端末１００は、受信した呼出信号に含まれるユーザユーザ情報を抽出してＰＨＳ端末２００の位置情報を取得することができる。ＰＨＳ端末１００は、取得した位置情報をディスプレイ上に表示するとともに、ＰＨＳ端末２００宛に切断信号を送信する。
【００３３】
再び図８を参照してＰＨＳ端末１００の構成について説明する。ＰＨＳ端末１００の呼出信号検出部１１３が呼出信号を検出すると、ＵＵＩ検出部１１４は呼出信号のユーザユーザ情報を抽出して、ディスプレイ表示部１４０に送信するとともに、切断部１１５へ切断依頼を行う。切断部１１５は、ＰＨＳ端末２００へ宛てて切断信号を送信する。
【００３４】
切断信号は、基地局３００、ディジタル網５００、基地局４００を経由してＰＨＳ端末２００によって受信され、一連の所在地情報取得手続が終了する。
【００３５】
なお、ＰＨＳ端末２００が話中の場合であっても、情報チャネル選択がチャネルなしとなっているため、ＰＨＳ端末２００に対しての通話中着信通知が許容され、基地局３００とＰＨＳ端末２００との間の処理は、上記の話中でない場合と同様に実施される。
【００３６】
実施例２
本実施例では、上記のような通信システムにおいて、例えばＰＨＳ端末２００が固定端末３０の電話番号に対して位置情報通知許可設定している場合、すなわち固定端末３０からＰＨＳ端末２００の所在位置についての問い合わせがあった場合に固定端末３０に対してＰＨＳ端末２００の所在位置を通知することを許すケースを考える。
【００３７】
固定端末３０がＰＨＳ端末２００の位置情報を取得する代表的な手順について、図３を参照しながら、説明する。実施例１と同一の部分については説明を省略する。
【００３８】
固定端末３０が、所在位置情報を知りたいＰＨＳ端末２００宛に呼設定信号を送信する。呼設定信号内には、発サブアドレスが含まれる。この発サブアドレスの情報要素として、位置情報要求信号を格納して呼設定信号を送信する。また、送信する呼設定信号には、チャネル識別子の情報要素である情報チャネル選択をチャネルなしとして格納してある。
【００３９】
呼設定信号を受信したディジタル網５００は、呼の宛先であるＰＨＳ端末２００が位置登録をしている交換機配下の全ての基地局に呼設定信号を送信する。
【００４０】
呼設定信号を受信した全ての基地局は、無線区間に着呼信号を送信する。
【００４１】
ＰＨＳ端末２００は基地局３００の圏内に存在するため、ＰＨＳ端末２００は基地局３００からの着呼信号を受信すると、基地局３００に対して着呼応答信号を送信する。
【００４２】
着呼応答信号を受信した基地局３００は、呼設定受付信号をディジタル網５００へ送信するとともに、固定端末３０からの呼設定信号をＰＨＳ端末２００へ送信する。
【００４３】
呼設定信号を受信したＰＨＳ端末２００は、呼設定信号内に存在する発サブアドレス情報から、この呼が位置情報を要求するものであることを検知する。また、呼設定信号内に存在する発アドレス情報から、発呼した固定端末３０の番号が位置情報要求許可設定してある番号であることを確認する。
【００４４】
位置情報要求許可設定してある番号であることを確認した後に、呼出信号を固定端末３０宛に送信する。呼出信号中には、ユーザユーザ情報が含まれる。このユーザユーザ情報として自己の所在地を要求する所在地要求信号を格納して基地局３００へ送信する。
【００４５】
ＰＨＳ端末２００からの呼出信号を受信した基地局３００は、呼出信号内に含まれるユーザユーザ情報から所在地要求信号を検知すると、そのユーザユーザ情報に格納されている所在地要求信号を、ＰＨＳ端末２００の位置情報として自基地局所在地情報に替える。次に、基地局３００は、ＰＨＳ端末２００の位置情報を格納したユーザユーザ情報を含む呼出信号を固定端末３０宛に送信する。この呼出信号は、ディジタル網５００を経由して固定端末３０へと送信される。
【００４６】
呼出信号を受信した固定端末３０は、受信した呼出信号に含まれるユーザユーザ情報を抽出してＰＨＳ端末２００の位置情報を取得することができる。固定端末３０は、取得した位置情報をディスプレィ上に表示するとともに、ＰＨＳ端末２００宛に切断信号を送信する。
【００４７】
ディジタル網５００、基地局３００を経由した切断信号がＰＨＳ端末２００によって受信され、一連の所在地情報取得手続が終了する。
【００４８】
なお、ＰＨＳ端末２００が話中の場合であっても、情報チャネル選択がチャネルなしとなっているため、ＰＨＳ端末２００に対しての通話中着信通知が許容され、基地局３００とＰＨＳ端末２００との間の処理は、上記の話中でない場合と同様に実施される。
【００４９】
実施例３
本実施例では、上記のような通信システムにおいて、例えばＰＨＳ端末２００がＰＨＳ端末１００の電話番号に対して位置情報通知許可設定をしていない場合、すなわちＰＨＳ端末１００からＰＨＳ端末２００の所在位置についての問い合わせがあった場合にＰＨＳ端末１００に対してＰＨＳ端末２００の所在位置の通知を拒否するケースを考える。
【００５０】
ＰＨＳ端末１００がＰＨＳ端末２００の位置情報を取得しようとする代表的な手順について、図４を参照しながら、説明する。実施例１と同一の部分については説明を省略する。
【００５１】
ＰＨＳ端末１００が、所在位置情報を知りたいＰＨＳ端末２００宛に呼設定信号を送信する。呼設定信号内には、発サブアドレスが含まれる。この発サブアドレスの情報要素として、位置情報要求信号を格納して呼設定信号を送信する。また、送信する呼設定信号には、チャネル識別子の情報要素である情報チャネル選択をチャネルなしとして格納してある。
【００５２】
呼設定信号を受信した基地局４００は、その呼設定信号をディジタル網５００へ送信する。
【００５３】
基地局４００からの呼設定信号を受信したディジタル網５００は、呼の宛先であるＰＨＳ端末２００が位置登録をしている交換機配下の全ての基地局に呼設定信号を送信する。
【００５４】
呼設定信号を受信した全ての基地局は、無線区間に着呼信号を送信する。
【００５５】
ＰＨＳ端末２００は基地局３００の圏内に存在するため、ＰＨＳ端末２００は基地局３００からの着呼信号を受信すると、基地局３００に対して着呼応答信号を送信する。
【００５６】
着呼応答信号を受信した基地局３００は、呼設定受付信号をディジタル網５００へ送信するとともに、ＰＨＳ端末１００からの呼設定信号をＰＨＳ端末２００へ送信する。
【００５７】
呼設定信号を受信したＰＨＳ端末２００は、呼設定信号内に存在する発サブアドレス情報から、この呼が位置情報を要求するものであることを検知する。しかし、呼設定信号内に存在する発アドレス情報から、発呼したＰＨＳ端末１００の番号が位置情報要求許可設定してある番号ではないことを確認する。
【００５８】
位置情報要求許可設定していない番号であることを確認した後に、通信拒否（＃２１）の理由を添えて切断信号をＰＨＳ端末２００宛に送信する。切断信号は、基地局３００、ディジタル網５００および基地局４００を経由して、ＰＨＳ端末１００へと伝達される。
【００５９】
切断信号を受信したＰＨＳ端末１００は、受信した切断信号から通信拒否（＃２１）を抽出し、ＰＨＳ端末２００の所在地情報を取得できないことを知る。ＰＨＳ端末１００は、位置情報取得が許可されていない旨をディスプレィ上に表示し、一連の所在地情報取得手続が終了する。
【００６０】
なお、ＰＨＳ端末２００が話中の場合であっても、情報チャネル選択がチャネルなしとなっているため、ＰＨＳ端末２００に対しての通話中着信通知が許容され、基地局３００とＰＨＳ端末２００との間の処理は、上記の話中でない場合と同様に実施される。
【００６１】
実施例４
本実施例では、上記のような通信システムにおいて、例えばＰＨＳ端末２００が固定端末３０の電話番号に対して位置情報通知許可設定をしていない場合、すなわち固定端末３０からＰＨＳ端末２００の所在位置についての問い合わせがあった場合に固定端末３０に対してＰＨＳ端末２００の所在位置の通知を拒否するケースを考える。
【００６２】
固定端末３０がＰＨＳ端末２００の位置情報を取得しようとする代表的な手順について、図５を参照しながら、説明する。実施例１と同一の部分については説明を省略する。
【００６３】
固定端末３０が、所在位置情報を知りたいＰＨＳ端末２００宛に呼設定信号を送信する。呼設定信号内には、発サブアドレスが含まれる。この発サブアドレスの情報要素として、位置情報要求信号を格納して呼設定信号を送信する。また、送信する呼設定信号には、チャネル識別子の情報要素である情報チャネル選択をチャネルなしとして格納してある。
【００６４】
呼設定信号を受信したディジタル網５００は、呼の宛先であるＰＨＳ端末２００が位置登録をしている交換機配下の全ての基地局に呼設定信号を送信する。
【００６５】
呼設定信号を受信した全ての基地局は、無線区間に着呼信号を送信する。
【００６６】
ＰＨＳ端末２００は基地局３００の圏内に存在するため、ＰＨＳ端末２００は基地局３００からの着呼信号を受信すると、基地局３００に対して着呼応答信号を送信する。
【００６７】
着呼応答信号を受信した基地局３００は、呼設定受付信号をディジタル網５００へ送信するとともに、固定端末３０からの呼設定信号をＰＨＳ端末２００へ送信する。
【００６８】
呼設定信号を受信したＰＨＳ端末２００は、呼設定信号内に存在する発サブアドレス情報から、この呼が位置情報を要求するものであることを検知する。しかし、呼設定信号内に存在する発アドレス情報から、発呼した固定端末３０の番号が位置情報要求許可設定してある番号ではないことを確認する。
【００６９】
位置情報要求許可設定していない番号であることを確認した後に、通信拒否（＃２１）の理由を添えて切断信号を固定端末３０宛に送信する。切断信号は、基地局４００及びディジタル網５００を経由して、固定端末３０へと伝達される。
【００７０】
切断信号を受信した固定端末３０は、受信した切断信号から通信拒否（＃２１）を抽出し、ＰＨＳ端末２００の所在地情報を取得できないことを知る。固定端末３０は、位置情報取得が許可されていない旨をディスプレィ上に表示し、一連の所在地情報取得手続が終了する。
【００７１】
なお、ＰＨＳ端末２００が話中の場合であっても、情報チャネル選択がチャネルなしとなっているため、ＰＨＳ端末２００に対しての通話中着信通知が許容され、基地局３００とＰＨＳ端末２００との間の処理は、上記の話中でない場合と同様に実施される。
【００７２】
実施例５
本実施例では、上記のような通信システムにおいて、例えばＰＨＳ端末１００がＰＨＳ端末２００の所在位置情報を取得しようとしたが、ＰＨＳ端末２００が圏外にある場合についてのケースを考える。
【００７３】
ＰＨＳ端末１００がＰＨＳ端末２００の位置情報を取得しようとする代表的な手順について、図６を参照しながら、説明する。
【００７４】
ＰＨＳ端末１００が、所在位置情報を知りたいＰＨＳ端末２００宛に呼設定信号を送信する。呼設定信号内には、発サブアドレスが含まれる。この発サブアドレスの情報要素として、位置情報要求信号を格納して呼設定信号を送信する。また、送信する呼設定信号には、チャネル識別子の情報要素である情報チャネル選択をチャネルなしとして格納してある。
【００７５】
呼設定信号を受信した基地局４００は、その呼設定信号をディジタル網５００へ送信する。
【００７６】
基地局４００からの呼設定信号を受信したディジタル網５００は、呼の宛先であるＰＨＳ端末２００が位置登録をしている交換機配下の全ての基地局に呼設定信号を送信する。
【００７７】
呼設定信号を受信した全ての基地局は、無線区間に着呼信号を送信する。
【００７８】
ＰＨＳ端末２００は基地局の圏外に存在するため、どの基地局も着呼応答を受信できず、ディジタル網５００へ呼設定受付信号を送信しない。
【００７９】
ディジタル網５００は、所定時間を経過しても呼設定受付信号を受信しないと、タイムアウトとなり、加入者不在（＃２０）の理由を添えて切断信号をＰＨＳ端末１００に宛てて送信する。切断信号は、基地局４００を経由して、ＰＨＳ端末１００へと伝達される。
【００８０】
切断信号を受信したＰＨＳ端末１００は、受信した切断信号から加入者不在（＃２０）を抽出し、ＰＨＳ端末２００の所在地情報を取得できないことを知る。ＰＨＳ端末１００は、加入者不在のために位置情報が取得できない旨をディスプレィ上に表示し、一連の所在地情報取得手続が終了する。
【００８１】
実施例６
本実施例では、上記のような通信システムにおいて、例えば固定端末３０がＰＨＳ端末２００の所在位置情報を取得しようとしたが、ＰＨＳ端末２００が圏外にある場合についてのケースを考える。
【００８２】
固定端末３０がＰＨＳ端末２００の位置情報を取得しようとする代表的な手順について、図７を参照しながら、説明する。
【００８３】
固定端末３０が、所在位置情報を知りたいＰＨＳ端末２００宛に呼設定信号を送信する。呼設定信号内には、発サブアドレスが含まれる。この発サブアドレスの情報要素として、位置情報要求信号を格納して呼設定信号を送信する。また、送信する呼設定信号には、チャネル識別子の情報要素である情報チャネル選択をチャネルなしとして格納してある。
【００８４】
呼設定信号を受信したディジタル網５００は、呼の宛先であるＰＨＳ端末２００が位置登録をしている交換機配下の全ての基地局に呼設定信号を送信する。
【００８５】
呼設定信号を受信した全ての基地局は、無線区間に着呼信号を送信する。
【００８６】
ＰＨＳ端末２００は基地局の圏外に存在するため、どの基地局も着呼応答を受信できず、ディジタル網５００へ呼設定受付信号を送信しない。
【００８７】
ディジタル網５００は、所定時間を経過しても呼設定受付信号を受信しないと、タイムアウトとなり、加入者不在（＃２０）の理由を添えて切断信号を固定端末３０に宛てて送信する。切断信号は、固定端末３０へと伝達される。
【００８８】
切断信号を受信した固定端末３０は、受信した切断信号から加入者不在（＃２０）を抽出し、ＰＨＳ端末２００の所在地情報を取得できないことを知る。固定端末３０は、加入者不在のために位置情報が取得できない旨をディスプレィ上に表示し、一連の所在地情報取得手続が終了する。
【００８９】
上記の実施例では、発サブアドレスを利用して位置情報要求を明示しているが、ユーザ特有に設定できる部分であれば、呼設定信号内のどこの情報要素を利用してもよい。
【００９０】
【発明の効果】
以上説明したように、本発明の実施の形態によれば、移動通信システムにおいて専用のサーバおよび回線を設置することなく、位置情報を取得したい移動無線端末に発呼するだけで、在圏の該移動無線端末の所在地を知ることができる。より詳細には、該移動無線端末が基地局圏内に存在すれば、該移動無線端末に接続される基地局が、所在地情報を呼出信号のユーザユーザ情報に格納することができる。所在地情報所得を希望した端末が、この情報を受信して表示することで、位置情報の取得・表示が可能となる。
【００９１】
さらに、移動無線端末側で位置情報提供を許可する端末を限定することにより、ユーザのプライバシーを保護することができる。
【図面の簡単な説明】
【図１】本実施例の通信システム６００の概略的構成図である。
【図２】ＰＨＳ端末２００がＰＨＳ端末１００の位置情報を取得する手順を示すチャートである。
【図３】固定端末３０がＰＨＳ端末１００の位置情報を取得する手順を示すチャートである。
【図４】許可されていないＰＨＳ端末２００がＰＨＳ端末１００の位置情報を取得しようとする手順を示すチャートである。
【図５】許可されていない固定端末３０がＰＨＳ端末１００の位置情報を取得しようとする手順を示すチャートである。
【図６】ＰＨＳ端末２００が在圏していないＰＨＳ端末１００の位置情報を取得しようとする手順を示すチャートである。
【図７】固定端末３０が在圏していないＰＨＳ端末１００の位置情報を取得しようとする手順を示すチャートである。
【図８】本発明の実施例に従った、ＰＨＳ端末１００のブロック図である。
【図９】本発明の実施例に従った、ＰＨＳ端末２００のブロック図である。
【図１０】本発明の実施例に従った、基地局３００のブロック図である。
【符号の説明】
６００　通信システム
１００　　ＰＨＳ端末
４００　　基地局
３０　　固定端末
５００　　ディジタル網
２００　　ＰＨＳ端末
３００　　基地局
【図１】
2004135086.tif 000003
【図２】
2004135086.tif 000004
【図３】
2004135086.tif 000005
【図４】
2004135086.tif 000006
【図５】
2004135086.tif 000007
【図６】
2004135086.tif 000008
【図７】
2004135086.tif 000009
【図８】
2004135086.tif 000010
【図９】
2004135086.tif 000011
【図１０】
2004135086.tif 000012